(57)【要約】  本発明は、心肺蘇生術の訓練用マネキンに関し、より詳しくには、マネキンの内部に上下方向に回転する回転アームの端の部分に磁石を設置し、二つの柱の異なる高さに二つのセンサーをそれぞれ設置して回転アームの位置を把握し、実習者が実施する心肺蘇生の動作を分析して、規定に合った心肺蘇生術を行っているかをリアルタイムで確認できるようにする心肺蘇生術の訓練用マネキンに関する。  本発明によれば、心肺蘇生術を行うとき、どのくらいの深さで圧迫したかを簡単かつ正確に判定することができて、心肺蘇生術を学ぶ実習者が正確な訓練を行うことができる効果がある。
2018533084.tif 000002
【特許請求の範囲】
【請求項１】
頭部と、胴体から構成されて、実習者に心肺蘇生術を教育するために使用される訓練用マネキンであっで、
前面が開放されており、内部に空間が形成される胴体ケースと、
前記胴体ケースの前面を覆いながら、ヒトの上体の前の姿と類似に製作される胴体カバーと、
前記胴体ケースの一側に連結され、内部に空間が形成される頭部ケースと、
前記頭部ケースの前面を覆いながら、ヒトの顔の前の姿と類似に製作される頭部カバーと、
前記胴体ケースの内部の底面に設置されて、前記胴体カバーを上方に持ち上げる弾性力を発揮するスプリングと、
前記胴体ケースの内部の底面に設置され、磁力を感知する第１センサーが設置される第１柱と、
前記胴体ケースの内部の底面に設置され、磁力を感知する第２センサーが、前記第１センサーより相対的に低い高さに設置される第２柱と、
前記胴体ケースの内部の底面に設置されて、末端が上下方向に往復運動をし、前記末端には磁石が設置される回転アームと、を含み、
前記回転アームの末端は、前記第１柱と前記第２柱との間で円弧の一部に沿って一定の角度だけ上下方向に往復運動をし、前記第１センサーと前記第２センサーは、前記磁石の接近による磁力の印加の可否を感知することを特徴とする心肺蘇生術の訓練用マネキン。
【請求項２】
前記頭部に設置され、文字や数字、図形のうちのいずれか一つ以上を表示したり、前記文字や数字、図形のうちのいずれか一つ以上の色や明るさ、大きさ、表示される範囲を変化させるようにするディスプレーをさらに含み、
前記ディスプレーは、心臓圧迫時、押すべきな最小限の深さを表示する深さ表示部と、現在行われている心臓圧迫の周期または単位時間当たりの回数を表示する回数表示部から構成されていることを特徴とする請求項１に記載の心肺蘇生術の訓練用マネキン。
【請求項３】
前記胴体ケースと前記頭部ケースを連結する首関節部をさらに含み、
前記首関節部は、前記胴体ケースと回転可能に連結される第１回転軸と、前記頭部ケースと回転可能に連結される第２回転軸と、を含むことを特徴とする請求項１に記載の心肺蘇生術の訓練用マネキン。
【請求項４】
心肺蘇生術の実習過程で、制御部は、前記回転アームが往復運動する過程で、前記磁石が下方に降りて、前記第１センサーと前記第２センサーを通り過ぎて再び上方に上がって前記第１センサーを通り過ぎる場合に、正常的な圧迫と判断して、前記ディスプレーで表示することを特徴とする請求項２に記載の心肺蘇生術の訓練用マネキン。
【発明の詳細な説明】
【技術分野】
【０００１】
本発明は、心肺蘇生術の訓練用マネキンに関し、より詳しくには、マネキンの内部に上下方向に回転する回転アームの端の部分に磁石を設置し、二つの柱の異なる高さに二つのセンサーをそれぞれ設置して、回転アームの位置を把握し、実習者が実施する心肺蘇生術の動作を分析して、規定に合った心肺蘇生術を行っているかをリアルタイムで確認できるようにする心肺蘇生術の訓練用マネキンに関する。
【背景技術】
【０００２】
心肺蘇生術とは、心肺機能がひどく低下されたり、停止されたとき、心肺機能を回復させて蘇生させる処置である。通常、呼吸機能障害や呼吸停止に対しては、まず、気道を確保した後に人工呼吸を実施し、心臓の機能を回復させるためには、心臓マッサージをする。
【０００３】
人工呼吸とは、水に溺れたり中毒・出血などで、心臓は鼓動しているが、呼吸が止まって仮死状態にあるとき、人工的に肺の機能を蘇生させ、呼吸を正常的に維持させることをいう。第１次救命処置としての人工呼吸法には、施術者の呼気を患者の肺に吹き込む息吹き込み方法と、施術者が手を用いて、患者の胸部などを圧迫して吸気・呼気を引き起こす用手的人工呼吸方法がある。上記息吹き込み方法の最も一般的なのが、患者に口腔を通じて吹き込んだ空気によって、患者の肺を拡張させる口対口の方法である。
【０００４】
また、墜落・感電・中毒などにより、心臓の搏動が止まったとき、心臓機能を蘇生させるために使用する方法として心肺蘇生術を実施する。心肺蘇生術には胸骨を脊椎に向かって３〜５の下に押すことによって、心臓を圧迫して血液を排出させる胸骨圧迫式心臓マッサージ方法がある。通常、心臓マッサージといえば、これを指す。
【０００５】
まず、患者の気道を確保し、呼吸の有無を確認して呼吸停止状態であれば、人工呼吸を行い、心臓停止状態であれば、人工呼吸を継続しながら、心臓マッサージを開始する心肺蘇生施術は、人体を対象に実施するので、施術者または実習者が上記した過程を繰り返して練習することが適当ではない。
【０００６】
最近には、人体の形状と似たの模様のマネキンを用いて、人工呼吸と心肺蘇生術を練習するようにする装置が開示されている。
【０００７】
図１は、従来技術による訓練用マネキンの構造を示した斜視図である。図１に示されたように、訓練用マネキンは、人体胸部及び頭部の形状をしているマネキン１０と、上記マネキン１０の内部に設置され、心肺蘇生の訓練が成功的に実施されたことを確認させるために、胸骨圧迫時、一定の確認音を発生させる心肺蘇生術確認部２０と、及び人体の肺器官を示す空気袋３０から構成される。
【０００８】
上記マネキン１０は、背の形状を示す下板４０と、胸の形状を示す上板５０と、及び頭の形状を示す頭部６０から構成される。上記下板４０は、上記心肺蘇生術の確認部２０と、空気袋３０などが内部に設置されることができるように所定の空間を持ち、前面が開口されているキャビネットの形状になっており、上記上板５０は、上記下板４０を開閉することができるように所定の幅を有する板状の形になっている。上記頭部６０は、上記下板４０の上端に結合されており、上記頭部６０の前半部の下端には、ヒトの顎の形状をしている回動部６２が設置されて回動部６２が上下に回転できるようになっている。
【０００９】
上記下板４０と上板５０との間には、その中心に、上板５０が外力に対して弾性を有するように圧縮スプリング７０が設置されている。したがって、上記上板５０を内側に圧迫するようになると、上記圧縮スプリング７０によって一定の抵抗を受けながら、上板５０が内側に入る。上記下板４０の下部には、ストッパーが上方を向かって突出している。
【００１０】
上記心肺蘇生術確認部２０は、一側に凸部を備えた板スプリングと、板スプリングを支持する支持ブラケット２６から構成される。
【００１１】
上記支持ブラケット２６は、上記下板４０と所定の距離を維持するように離隔されるように設置され、上記板スプリングは、上記ストッパーと対応する位置に設置され、板スプリングがストッパーと衝突時、音を発生するように板スプリングの凸部がストッパーと対向するように設置される。
【００１２】
そして、上記上板５０には、上記ストッパー及び板スプリングと対応する位置に、上記板スプリングを圧迫する圧迫部５２が設置されている。したがって、上記上板５０を外側から加圧すると、上記圧迫部５２が上記板スプリングを圧迫して音が発生する。
【００１３】
このような方式のマネキン１０を用いて、心肺蘇生術の訓練をする時には、実習者が強い力でマネキン１０の上板５０を押して板スプリングで音がすれば、適切な圧迫が行われたものと見ることができる。しかし、板スプリングの位置が変わったりマネキン１０を長く使用すると、音がよく鳴らなかったり、音の大きさが小さくなって実習者や教官が気付かないこともある。
【発明の概要】
【発明が解決しようとする課題】
【００１４】
前述した問題点を解決するための本発明は、ヒトの上半身の模様に作られたマネキンの内部に回転アームを設置して、実習者の圧迫に応じて上下に回転するようにし、二つのセンサーをお互いに異なる高さに設置し、二つのセンサーの間を往復運動する磁石を用いて、回転アームの高さを確認するようにして、実習者が十分な深さと高さだけ圧迫と弛緩動作を実施しているかを確認できるようにする心肺蘇生術の訓練用マネキンを提供することを目的とする。
【００１５】
また、本発明は、実習者が実施している心肺蘇生術が、正確な深さと周期に行われているかを確認して、頭部に設置されたディスプレーを通じて映像と音声で表示することによって、リアルタイムで心肺蘇生術の質を確認できるようにする心肺蘇生術の訓練用マネキンを提供することを目的とする。
【００１６】
また、本発明は、胴体と頭を連結する首関節部に２つの回転軸を平行に設置して、ヒトの首の動きと類似する動作が行われるようにする心肺蘇生術の訓練用マネキンを提供することを目的とする。
【課題を解決するための手段】
【００１７】
頭部と、胴体から構成されて、実習者に心肺蘇生術を教育するために使用される訓練用マネキンであっで、前面が開放されており、内部に空間が形成される胴体ケース１０２と、上記胴体ケース１０２の前面を覆いながら、ヒトの上体の前の姿と類似に製作される胴体カバー１０４と、上記胴体ケース１０２の一側に連結され、内部に空間が形成される頭部ケース１０６と、上記頭部ケース１０６の前面を覆いながら、ヒトの顔の前の姿と類似に製作される頭部カバー１０８と、上記胴体ケース１０２の内部の底面に設置されて、上記胴体カバー１０４を上方に持ち上げる弾性力を発揮するスプリング１１０と、上記胴体ケース１０２の内部の底面に設置され、磁力を感知する第１センサー１１２ａが設置される第１柱１１２と、上記胴体ケース１０２の内部の底面に設置され、磁力を感知する第２センサー１１４ａが、上記第１センサー１１２ａより相対的に低い高さに設置される第２柱１１４と、上記胴体ケース１０２の内部の底面に設置されて、末端が上下方向に往復運動し、上記末端には磁石１１８ａが設置される回転アーム１１８と、を含み、上記回転アーム１１８の末端は、上記第１柱１１２と上記第２柱１１４との間で円弧の一部に沿って一定の角度だけ上下方向に往復運動をし、上記第１センサー１１２ａと上記第２センサー１１４ａは、上記磁石１１８ａの接近による磁力の印加の可否を感知することを特徴とする。
【００１８】
本発明は、上記頭部に設置され、文字や数字、図形のうちのいずれか一つ以上を表示したり、上記文字や数字、図形のうちのいずれか一つ以上の色や明るさ、大きさ、表示される範囲を変化させるようにするディスプレー１２２をさらに含み、上記ディスプレー１２２は、心臓圧迫時、押すべきな最小限の深さを表示する深さ表示部１２２ａと、現在行われている心臓圧迫の周期または単位時間当たりの回数を表示する回数表示部１２２ｂから構成されていることを特徴とする。
【００１９】
本発明は、上記胴体ケース１０２と上記頭部ケース１０６を連結する首関節部１２０をさらに含み、上記首関節部１２０は、上記胴体ケース１０２と回転可能に連結される第１回転軸１２０ａと、上記頭部ケース１０６と回転可能に連結される第２回転軸１２０ｂと、を含むことを特徴とする。
【００２０】
本発明は、心肺蘇生術の実習過程で、制御部は、上記回転アーム１１８が往復運動する過程で、上記磁石１１８ａが下方に降りて、上記第１センサー１１２ａと上記第２センサー１１４ａを通り過ぎて再び上方に上がって上記第１センサー１１２ａを通り過ぎる場合に、正常的な圧迫と判断して、上記ディスプレー１２２で表示することを特徴とする。
【発明の効果】
【００２１】
本発明によれば、心肺蘇生術を行うとき、どのくらいの深さで圧迫したかを簡単かつ正確に判定することができて、心肺蘇生術を学ぶ実習者が正確な訓練を行うことができる効果がある。
【図面の簡単な説明】
【００２２】
【図１】従来技術に係る訓練用マネキンの構造を示した斜視図である。
【図２】本発明の実施例に係るマネキンの構造を示した斜視図である。
【図３】図２のマネキンのカバーを分離した状態を示した分解斜視図である。
【図４】回転アームの設置状態を示した斜視図である。
【図５】回転アームの設置状態を示した側面図である。
【図６】回転アームの位置に応じたセンサーの感知状態を示した側面図である。
【図７】回転アームの位置に応じたセンサーの感知状態を示した側面図である。
【図８】回転アームの位置に応じたセンサーの感知状態を示した側面図である。
【図９】首関節部の連結状態を示した側面図である。
【図１０】首関節部の回転に伴う頭部の位置の変化を示した側面図である。
【図１１】首関節部の回転に伴う頭部の位置の変化を示した側面図である。
【図１２】胴体の左側に形成される延長部の構造を示した斜視図である。
【図１３】頭部に設置されたディスプレーの構造を示した概念図である。
【発明を実施するための形態】
【００２３】
以下、図面を参照して、本発明の実施例による「心肺蘇生術の訓練用マネキン」（以下、「マネキン」という）を説明する。
【００２４】
図２は、本発明の実施例に係るマネキンの構造を示した斜視図であり、図３は、図２のマネキンのカバーを分離した状態を示した分解斜視図である。
【００２５】
本発明のマネキン１００は、ヒトの上半身と類似した形で作られるのに、胴体と、頭から構成されているので、心肺蘇生術を構成する心臓圧迫と人工呼吸を実習することができる環境を提供する。
【００２６】
胴体と頭の内部には、空いた空間が形成されていて、心肺蘇生術の動作を確認できるようにする装置が設置される。
【００２７】
胴は、上体の後部を形成しながら、一定の収容空間（前面が開放する）を具備している胴体ケース１０２と、胴体ケース１０２の前面を覆いながら、ヒトの上半身の前の姿のままに製作される胴体カバー
１０４からなる。
【００２８】
頭部も胴体と類似に頭部ケース１０６と、頭部カバー１０８から構成され、内部の空間には、ディスプレーとその他の装置が設置される。
【００２９】
頭部カバー１０８は、頭部ケース１０６の前面を覆いながらヒトの顔の前の姿と類似に製作される。
【００３０】
胴体と頭部は、首関節部１２０により連結されていて、一定の角度だけ前後方向に回転される。頭部の回転はヒトの胴体と同じように構成することが望ましい。
【００３１】
胴体ケース１０２の内部の底面には、スプリング１１０が設置される。本発明では、コイル状のスプリング１１０が使用されることとして示したが、弾性力を発揮するものであれば他の形態の弾性体が使用されることもできる。スプリング１１０は、心臓の圧迫動作時に胴体カバー１０４を上方に持ち上げて、元の位置に戻るようにする。スプリング１１０は、胴体ケース１０２の中央に来るようにすることが望ましい。
【００３２】
胴体ケース１０２の内部の底面の一側には、二つの柱が設置されるが、それぞれ第１柱１１２と第２柱１１４に定義する。第１柱１１２には、第１センサー１１２ａが設置され、第２柱１１４には、第２センサー１１４ａが設置される。第１センサー１１２ａと第２センサーは、磁力測定センサーであって、磁場を発生させる手段（磁石など）が近接することを感知して制御部（図示せず）に信号を伝達する。
【００３３】
本発明において、第１センサー１１２ａと第２センサー１１４ａは、同様な形の装置として同様な特性（磁力）を感知するが、底面から高さが異なる所に設置される。便宜上、第１柱１１２に設置される第１センサー１１２ａは、底面からより高い所に設置され、第２柱１１４に設置される第２センサー１１４ａは、より低い所に設置されるものに区分する。
【００３４】
胴体ケース１０２の内部の底面の一側には、中に回転軸が挿入される回転軸柱１１６が設置される。そして、回転軸柱１１６に設置された回転軸には、一定の角度だけ回転運動をする回転アーム１１８の一側末端が設置される。回転アーム１１８の他側の末端は、胴体カバー１０４の上下運動に応じて共に回転する。
【００３５】
回転アーム１１８の他側の末端には、磁力を発生する手段が設置されるが、一般的には、磁石１１８ａが使用される。
【００３６】
図４は、回転アームの設置状態を示した斜視図であり、図５は、回転アームの設置状態を示した側面図であり、図６ないし図８は、回転アームの位置に応じたセンサーの感知状態を示した側面図である。
【００３７】
回転アーム１１８は、回転軸柱１１６に設置された地面と平行する回転軸を中心に回転する。回転アーム１１８の他側の末端の上端は、何の力が加えられない状態で胴体カバー１０４の底面と接触したり、近接した高さに位置する。したがって、実習者が胴体カバー１０４を強く押すと、回転アーム１１８の他側の末端も下方に降りるようになる。
【００３８】
回転アーム１１８の他側の末端は、平行に設けられた第１柱１１２と第２柱１１４との間を上下方向に回転しながら往復運動する。図４及び図５に示されたように、回転アーム１１８が二つの柱の間で往復運動をすると、第１センサー１１２ａと第２センサー１１４ａとの間を磁石１１８ａが往復運動をするようにされる。
【００３９】
第１センサー１１２ａと第２センサー１１４ａは、往復運動をする磁石１１８ａから発散される磁力を感知して磁石１１８ａの位置を確認する。磁石１１８ａの位置は、回転アーム１１８の他側の末端の位置と同じなので、制御部は、回転アーム１１８がどの高さにあるかを把握することができるようになる。
【００４０】
図６のように、回転アーム１１８が下方に回転しながら磁石１１８ａが第１センサー１１２ａを通り過ぎて、第１センサー１１２ａと第２センサー１１４ａの中間の高さまで降りると、第１センサー１１２ａには、磁石１１８ａから発生する磁力が感知されたがなくなり、第２センサー１１４ａには、まだ磁力が感知されない状態になる。この場合、制御部は、磁石１１８ａが第１センサー１１２ａと第２センサー１１４ａとの間の高さにあると判断することができる。即ち、実習者が心臓圧迫動作をする中であるが、まだ最低点まで押さえていないと見ることができる。
【００４１】
実習が圧迫をさらにしても図７のように回転アーム１１８は、より下方に回転すると、第２センサー１１４ａでも磁力が感知される。制御部は、この時、圧迫の深さが十分になされたものと判断する。
【００４２】
実習者が胴体カバー１０４を押していた圧力を除去すると、スプリング１１０の弾性力によって胴体カバー１０４が、元の高さに復帰する。この過程で、回転アーム１１８も上方に回転しながら上ったが、図８に示されたように磁石１１８ａは、第２センサー１１４ａと第１センサー１１２ａを順に通り過ぎるながら上がる。即ち、制御部は、第２センサー１１４ａから感知された磁力と、第１センサー１１２ａから感知される磁力を確認することができ、回転アーム１１８が再び元の高さに上がったと判断することになる。
【００４３】
このような過程が１回の圧迫が行われたものと見ることができる。
【００４４】
もし、第１センサー１１２ａだけで磁力が感知されてから消えた後、第２センサー１１４ａでの感知が行われる前に、再び第１センサー１１２ａで感知されてから消えたら、回転アーム１１８が十分に下方に降りる前に再び上がったものと見ることができる。
【００４５】
一般的に心肺蘇生術で行われる心臓圧迫は、最小５ｃｍの深さだけ押してくれなければならない。もし第１センサー１１２ａと第２センサー１１４ａとの間の高さの差を５ｃｍ程度に設定すると、第１センサー１１２ａと第２センサー１１４ａで正常的に全部感知がなされた場合に、十分な圧迫が行われたと見ることができる。
【００４６】
第２センサー１１４ａがある深さまで十分に圧迫が行われなかった場合には、マネキン１００は、「圧迫の深さが不十分でない」という旨の音声案内を出力する。
【００４７】
また、第１センサー１１２ａと第２センサー１１４ａで順次的に磁力が感知されてから消えた後、第２センサー１１４ａで再び磁力が感知されてから消え、再び第２センサー１１４ａで磁力が感知されてから消えたら、回転アーム１１８が第１センサー１１２ａの高さまで上がって来なかった状態で、再び下に下がったものと見なすことができる。
【００４８】
心臓の圧迫動作は、血液の循環のために圧迫と圧力解除が正常的に十分行われなければならない。圧力の解除は、回転アーム１１８が十分に上方に上がってくることを確認することによって、判断することができる。即ち、下に降りて行った磁石１１８ａが再び上がってきながら、第１センサー１１２ａを行き過ぎるほどになるべきなのに、そうでない場合には、圧力の解除が十分充分でないことであるので、これに対する警告を送信することができる。
【００４９】
この時には、「圧迫の緩和が不足する」という旨の音声案内を出力することによって、実習者に、自分の圧迫動作の質を知らせることができる。
【００５０】
結論的に、通常の深さほど十分な圧力と解除が行われる場合には、「（１）第１センサー感知後消滅、（２）第２センサー感知後消滅、（３）第２センサー感知後消滅、（４）第１センサー感知後消滅」の過程で磁力が測定されるものだ。
【００５１】
また、制御部は、磁場が感知された時間や周期を測定することによって、単位時間あたりの何回の正常な圧迫が行われているかを計算することができる。計算された単位時間当たりの圧力回数が、正常的な場合と非正常的な場合に実習者に映像や音声で警告をすることができる。
【００５２】
大体正常的な圧迫は、毎分９０ないし１３０回行われることになっており、毎分１００ないし１１０回である場合に最も理想的なことで知られている。
【００５３】
一方、図９は、首関節部の連結状態を示した側面図であり、図１０及び図１１は、首関節部の回転に伴う頭部の位置変化を示した側面図である。
【００５４】
本発明のマネキン１００の胴体と頭部はヒトの関節と似た運動をすることができるように結合される。胴体と頭部は、首関節部１２０により連結され、首関節１２０には、二つの回転軸が備えられる。
【００５５】
首関節部１２０が、胴体と会う位置には、第１回転軸１２０ａが設置され、頭部と会う場所には第２回転軸１２０ｂが設置される。第１回転軸１２０ａと第２回転軸１２０ｂは、すべてヒトの形のマネキン１００の左右方向に配置されるので、頭部は胴体に対して前後方向に回転運動をすることができる。
【００５６】
第１回転軸１２０ａは、首関節部１２０と胴体が会う所に設置されるので、「頭部＋首関節部」全体が胴体に対して前後方向に一定の角度範囲内で回転運動をする。また、第２回転軸は、首関節部１２０と、頭部が会う所に設置されるので、「胴体＋首関節部」全体が頭部に対して回転運動をする。しかし、胴体は実習者が床に置いて、動作をするので、実際には、第１回転軸１２０ａを中心に、頭部と首関節部１２０が回転し、第２回転軸１２０ｂを中心にしては、頭部が回転をするようにされる。
【００５７】
実際の心肺蘇生術では気道を十分に確保するために首を前方に１５°程度持ち上げた後、あごを上方に３５°持ち上げるようにしている。二つの回転軸により連結された状態では、図１０のように、まず首を前方に持ち上げた後、図１１のように顎を持ち上げることによって、人体に対する動作と同じ状態を作ることができる。
【００５８】
一方、図１２は、胴の左側に形成される延長部の構造を示した斜視図である。
【００５９】
心肺蘇生術を実施する際に使用する電気衝撃機または除細動器は、二つの電極パッドを上体に付けなければならない。二つの電極パッドは、右の肩鎖の骨近所と左側脇の近所に付けることが最も理想的である。本発明のマネキン１００に使用される胴体カバー１０４には、このような状況を反映して、左側脇の付近をより広くした延長部１０４ａが備えられる。延長部１０４ａは、胴体カバー１０４の左側脇部分を脇と背中の境界線まで広く延長した面として、実習者は電極パッドを付ける位置を容易に確認することができる。
【００６０】
一方、図１３は、頭部に設置されたディスプレーの構造を示した概念図である。
【００６１】
実習者に心臓圧迫の深さと回数を表示して、正確な動作をしているかどうかを知しらせなければならないのに、そのために音声と映像を同時に使用する。
【００６２】
胴体ケース１０２の下端には、電源スイッチ１２４と、音声スイッチ１２６と、周期表示ボタン１３０と、スピーカー１２８とが備えられる。
【００６３】
電源スイッチ１２４は、マネキン１００に含まれた電気装置をオン/オフさせるスイッチであり、音声スイッチ１２６は、音声で案内が出力されるようにするスイッチである。周期表示ボタン１３０は、スピーカー１２８を通じて一定な周期で音響が出力されるようにする。
【００６４】
そして、頭部（好ましくは、額部）には、ディスプレー１２２が設置されて圧迫動作に対する内容を映像で表示する。
【００６５】
実習者が電源スイッチ１２４をつければ、制御部は内部の装置を動作させながら、心肺蘇生術の訓練課程を開始します。そして、音声スイッチ１２６をつければ、音声で動作の過程を案内することになるが、実習者の選択に応じて、音声スイッチ１２６を消して実習を行うことができる。
【００６６】
実習者が周期表示ボタン１３０をつければ、制御部は、心肺蘇生術の圧迫回数に対応する周期で規則的な音響を出力するようにする。即ち、毎分１００回の圧迫が標準であれば、メトロノームと類似に毎分１００回の音響がスピーカー１２８を通じて出力される。実習者は、規則的に出力される音声に応じて、より正確に圧力を実施することができる。
【００６７】
そして、ディスプレー１２２には、心臓圧迫の動作を数字や文字、図形、色、明るさなどで表示してくれる。本発明では、深さ表示部１２２ａと回数表示部１２２ｂが形成されるものとして説明する。
【００６８】
深さ表示部１２２ａには、心臓圧迫時、押すべきな最小限の深さが数字などで表示され、回数表示部１２２ｂには、現在行われている心臓圧迫の周期（または単位時間当たりの回数）が表示される。
【００６９】
深さ表示部１２２ａと回数表示部１２２ｂは、現在行われている心臓圧迫の正確な深さや回数を数字で表示することができるが、定められた規定に合致する場合に、あらかじめ設定された数字や文字がつかせるようにすることもできる。即ち、深さ表示部１２２ａには、「５」という数字を表示し、回数表示部１２２ｂには、「１００」という数字を表示する。そして、制御部で計算した圧迫の深さが５ｃｍ以上である場合には、深さ表示部１２２ａの数を正常的に表示し、５ｃｍ未満の場合には、非正常的に表示する。たとえば、正常的である時には、数値が緑色に、非正常的である時には、数値が赤色に点滅するようにすることができる。また、正常的である時には、数値が相対的に明るくなるようにし、非正常的である時には、より暗くなるようにすることができる。また、数字や文字のサイズや表示される範囲の変化などを通じて表示してくれることができる。
【００７０】
回数表示部１２２ｂも、正常的な場合と非正常的な場合を違うように表示されるようにして、実習者が容易に把握できるようにしてくれる。
【００７１】
圧迫の深さや単位時間当たりの回数の場合には、個別圧迫動作を毎度分析して表示することもできるが、一定の時間の間に行われた動作をまとめて判定することもできるものである。即ち、数秒の間に行われる圧迫の深さが毎回違いがあるが、該当時間の間の平均圧迫の深さが規定に当たるか、微細な誤差だけある場合には、正常的な動作で表示することができる。圧迫周期や回数に対しても、短い時間の間の動作内容を平均して、結果を判断及び表示するようにすることで、実習者に正確な判断の根拠を提供してくれることができる。
【００７２】
以上、添付された図面を参照して、本発明の望ましい実施例を説明したが、上述した本発明の技術的構成は、本発明が属する技術分野の当業者が本発明のその技術的思想や必須的な特徴を変更せずに他の具体的な形で実施されることができることを理解できるものである。したがって、以上で記述した実施例は、すべての面で例示的なものであり、限定的なものではないものとして理解されるべきで、本発明の範囲は、上記の詳細な説明よりも、後述する特許請求の範囲によって示され、特許請求の範囲の意味及び範囲そしてその均等な概念から導出されるすべての変更または変形された形態が本発明の範囲に含まれるものとして解釈されるべきである。
【符号の説明】
【００７３】
１００：マネキン
１０２：胴胴体ケース
１０４：胴体カバー
１０４ａ：延長部
１０６：頭部ケース
１０８：頭部カバー
１１０：スプリング
１１２：第１柱
１１２a：第１センサー
１１４：第２柱
１１４ａ：第２センサー
１１６：回転軸柱
１１８：回転アーム
１１８ａ：磁石
１２０：首関節部
１２０ａ：第１回転軸
１２０ｂ：第２回転軸
１２２：ディスプレー
１２２ａ：深さ表示部
１２２ｂ：回数表示部
１２４：電源スイッチ
１２６：音声スイッチ
１２８：スピーカー
１３０：周期表示ボタン
【図１】
2018533084.tif 000003
【図２】
2018533084.tif 000004
【図３】
2018533084.tif 000005
【図４】
2018533084.tif 000006
【図５】
2018533084.tif 000007
【図６】
2018533084.tif 000008
【図７】
2018533084.tif 000009
【図８】
2018533084.tif 000010
【図９】
2018533084.tif 000011
【図１０】
2018533084.tif 000012
【図１１】
2018533084.tif 000013
【図１２】
2018533084.tif 000014
【図１３】
2018533084.tif 000015
【国際調査報告】
2018533084.tif 000016
2018533084.tif 000017
2018533084.tif 000018
2018533084.tif 000019